(57)【特許請求の範囲】
【請求項１】
延伸ブロー成形された合成樹脂製の壜体であって、肉薄な胴部(1) の一部である円筒形状をした変形部(2) を、該円筒形状を保持した状態で、上下に連続し、減圧時に柱材として機能する耐外圧強度の強い部分(3) を、周方向に沿って三つ以上等間隔に位置させると共に、前記強い部分(3) と略平行に上下に連続し、減圧時に湾曲陥没変形して減圧吸収機能を発揮する耐外圧強度の弱い部分(4) を、前記各強い部分(3) 間に位置させ、前記各強い部分(3) の耐外圧強度を
略等しくすると共に、前記各弱い部分(4) の耐外圧強度を略等しくして構成し、
前記変形部(2) の胴壁(5) を、連続した波形状の、若しくは多数の独立した凹凸(6) を有する縦断面構造にして、該凹凸(6) の程度の大きさにより前記強い部分(3)と弱い部分(4) を構成し、前記強い部分(3)を除く、前記弱い部分(4)を含む前記変形部(2)部分を減圧吸収機能部分とした減圧吸収機能付き壜体。
【請求項２】
延伸ブロー成形された合成樹脂製の壜体であって、肉薄な胴部(1) の一部である円筒形状をした変形部(2) を、該円筒形状を保持した状態で、上下に連続し、減圧時に柱材として機能する耐外圧強度の強い部分(3) を、周方向に沿って三つ以上等間隔に位置させると共に、前記強い部分(3) と略平行に上下に連続し、減圧時に湾曲陥没変形して減圧吸収機能を発揮する耐外圧強度の弱い部分(4) を、前記各強い部分(3) 間に位置させ、前記各強い部分(3) の耐外圧強度を
略等しくすると共に、前記各弱い部分(4) の耐外圧強度を略等しくして構成し、
前記変形部(2) の胴壁(5) の壁厚を、一方に比べて他方を大きくすることにより前記強い部分(3)と弱い部分(4) を構成し、前記強い部分(3)を除く、前記弱い部分(4)を含む前記変形部(2)部分を減圧吸収機能部分とした減圧吸収機能付き壜体。
【請求項３】
強い部分(3) および弱い部分(4) を、高さ方向に沿って連続させた請求項１または２記載の減圧吸収機能付き壜体。
【請求項４】
強い部分(3) および弱い部分(4) を、高さ方向に対して傾斜した姿勢で連続させた請求項１または２記載の減圧吸収機能付き壜体。
【請求項５】
弱い部分(4) を、強い部分(3) 間の二等分箇所に位置させた請求項１または２または３または４記載の減圧吸収機能付き壜体。
【請求項６】
強い部分(3) と弱い部分(4) を、それぞれ三つ設けた請求項１または２または３または４または５記載の減圧吸収機能付き壜体。
【発明の詳細な説明】
【０００１】
【発明の属する技術分野】
本発明は、２軸延伸ブロー成形等の延伸ブロー成形された合成樹脂製の減圧吸収機能付き壜体に関するものである。
【０００２】
【従来の技術】
延伸ブロー成形された合成樹脂製壜体は、その優れた数多くの特性により広い分野で利用されているが、壜体の主体部分である胴部が肉薄であるため、壜体内に発生した減圧により、胴部の一部が不正に陥没変形して、商品としての壜体の外観を著しく劣化させると云う不都合があった。
【０００３】この延伸ブロー成形された合成樹脂製壜体における減圧変形という不都合を解消するため、例えば実開昭５７−１９９５１１号公報に開示されているように、胴部の筒壁に陥没変形し易い変形パネル壁を複数陥没設して、壜体内に発生した減圧をこの変形パネル壁における一定した形態の陥没変形により吸収し、もって胴部の他の部分に不正陥没変形が発生しないようにすると共に、胴部の自己形状保持能力を高めるようにした壜体が各種提案されている。
【０００４】
【発明が解決しようとする課題】
しかしながら、上記した従来技術にあっては、壜体全体の外観形状を殆ど変えることなく、変形パネル壁の陥没変形だけで壜体内に発生した減圧を吸収させる構成となっているので、充分な減圧吸収能力を得ることができないと云う問題があった。
【０００５】
すなわち、変形パネル壁に一定した陥没変形を安定して引き起こさせるため、および変形パネル壁の陥没変形により周囲部分に不正変形を生じさせないようにするために、変形パネル壁の周囲に変形し難いリブ壁構造部分を設ける必要があり、また変形パネル壁を設けることによる胴部の座屈強度の低下を防止すべく、変形パネル壁間に柱材として機能する壁部分を設ける必要があるので、変形パネル壁の面積を充分に大きくすることができず、このため減圧吸収能力を大きくすることができないのである。
【０００６】
また、変形パネル壁を設けた壜体の胴部部分は、変形パネル壁の陥没変形形態が一定となるように、および高い自己形状保持力を発揮すると共に、座屈強度を高めるために、一定パターンで屈曲した壁構造となっており、このため壜体の外観が角張った硬い感じとなり、円やかな柔らか味のある外観を得ることができないと云う問題があった。
【０００７】
そこで、本発明は、上記した従来技術における問題点を解消すべく創案されたもので、
壜体の胴部の一部に形成された減圧吸収機能部分の減圧吸収動作を、この減圧吸収機能部分を形成した胴部部分全体の一定した変形により達成することを技術的課題とし、もって充分に大きい減圧吸収能力を得ると共に、円やかで柔らかみがあり、減圧吸収状態での外観が、新規で変化に富んで面白みのあるものとすることを目的とする。
【０００８】
【課題を解決するための手段】
上記技術的課題を解決する本発明の基本となる手段は、延伸ブロー成形された合成樹脂製の壜体であること、肉薄な胴部の一部である円筒形状をした変形部を、円筒形状を保持した状態で、下記の構成とすること、上下に連続し、減圧時に柱材として機能する耐外圧強度の強い部分を、周方向に沿って三つ以上等間隔に位置させること、強い部分と略平行に上下に連続し、減圧時に湾曲陥没変形して減圧吸収機能を発揮する耐外圧強度の弱い部分を、各強い部分間に位置させること、各強い部分の耐外圧強度を略等しくすると共に、各弱い部分の耐外圧強度を略等しくすること、そして強い部分を除く、弱い部分を含む変形部部分を減圧吸収機能部分とすること、にある。
【０００９】
密封された壜体内に減圧が発生すると、この減圧に従って変形部の各弱い部分が湾曲陥没変形し、壜体内の減圧を吸収する。
【００１０】
各弱い部分の湾曲陥没変形により、変形部は、弱い部分が強い部分の間に位置していること、および強い部分同士および弱い部分同士の耐外圧強度が略等しいことにより、強い部分を稜線部分とし、強い部分間の弱い部分が位置した筒壁部分が内方に湾曲陥没した、
正多角筒形状に変形する。
【００１１】
このように、減圧吸収状態の変形部は、強い部分が形成する稜線部分がやや突出した状態となった正多角筒形状となるので、強い部分が形成する稜線部分は、柱材および梁材として有効に機能し、高い座屈強度および耐外圧強度を発揮することになる。
【００１２】
また、強い部分以外の部分全部が、反転状に湾曲陥没変形して減圧吸収するので、発揮される減圧吸収能力はきわめて大きなものとなる。
【００１３】
変形部は、減圧吸収動作により、単純な円筒形状から外観に変化のある正多角筒形状に変形するので、外観体裁の変化による面白みが発揮される。
【００１４】
変形部の円筒形状から正多角筒形状への減圧吸収変形は、変形部の胴壁の湾曲変形であるので、変形後の変形部に角部が全く形成されず、これがため丸みおよび柔らかみのある外観体裁を発揮することになる。
【００１５】
そして請求項１記載の発明は、上述した基本となる手段に、変形部の胴壁を、連続した波形状の凹凸、若しくは多数の独立した凹凸を有する縦断面構造に構成し、弱い部分に比べて強い部分の凹凸の程度を大きくしたこと、を追加したもので、凹凸の程度を違えるだけで、変形部の強い部分と弱い部分とを成形し分けるようにしたものである。
【００１６】
変形部の胴壁の凹凸は、壜体を成形するブロー金型により成形されるものであるので、
変形部の構造設定、すなわち強い部分と弱い部分の上下方向に沿った連続姿勢とか、強い部分および弱い部分の耐外圧強度とか、強い部分と弱い部分との間隔および個数とかの設定を、ブロー金型の構造で簡単に行うことができる。
【００１７】
請求項２記載の発明は、上述した基本となる手段に、変形部の胴壁の壁厚を、弱い部分に比べて強い部分を大きくしたこと、を追加したもので、変形部の胴壁の壁厚を変化させるだけで、変形部の強い部分と弱い部分とを成形し分けるようにしたものである。
【００１８】
変形部の胴壁の壁厚変化は、壜体に延伸ブロー成形されるパリソンに予め与えておくか、延伸ブロー変形するパリソンに対する加熱温度分布を一定形態に設定することにより得る。
【００１９】
請求項３記載の発明は、請求項１または２記載の発明の要件に、強い部分および弱い部分を、高さ方向に沿って連続させたこと、を追加したもので、変形部が減圧変形した状態で、強い部分が直立した柱状の稜線部分を形成すると共に、弱い部分を含む強い部分間の胴壁部分が陥没方向に湾曲変形するので、強い部分が形成する稜線部分が直立した柱材として機能して、壜体に作用する圧下荷重を剛的に支えて、高い座屈強度を発揮する。
【００２０】
請求項４記載の発明は、請求項１または２記載の発明の要件に、強い部分および弱い部分を、高さ方向に対して傾斜した姿勢で連続させたこと、を追加したもので、変形部が減圧変形した状態で、強い部分が螺旋状に傾斜した柱状の稜線部分を形成すると共に、弱い部分を含む強い部分間の胴壁部分が陥没方向に湾曲変形するので、強い部分が形成する稜線部分が傾斜した柱材として機能して、壜体に作用する圧下荷重を、傾斜方向に撓み弾性変形しながら弾性的に支えて、高い座屈強度を発揮すると共に、変圧部を減圧吸収変形させた壜体の外観を変化に富んだ面白味のあるものとする。
【００２１】
請求項５記載の発明は、請求項１、２、３または４記載の発明の要件に、弱い部分を、
強い部分間の二等分箇所に位置させたこと、を追加したもので、減圧により陥没状に湾曲変形する胴壁部分である変形部分の中央に弱い部分が位置するので、この変形部分の減圧吸収変形が起こり易いと共に、大きな減圧吸収量が得られる。
【００２２】
請求項６記載の発明は、請求項１、２、３、４または５記載の発明の要件に、強い部分と弱い部分とを、それぞれ三つ設けたこと、を追加したもので、変形部が、減圧吸収変形した状態で正三角形筒状となるので、構造的にきわめて安定したものとなる。
【００２３】
【発明の実施の形態】
以下、本発明の実施例を図面を参照しながら説明する。図１に示した壜体は、円筒形状をした胴部１中央に中央周溝７を周設して、胴部１を上下に区画し、上端に円筒錐台形状をした肩部９を介して、外周面に螺条およびフランジを有する口部１０を連設した胴部１の上半分に、座屈強度および耐外圧強度を高める複数のリブ溝８を周設し、胴部１の下半分を円筒形状の変形部２とした構造となっている。
【００２４】
変形部３は、耐外圧強度の強い部分３を、周方向に沿って三つ以上等間隔に位置させ、
耐外圧強度の弱い部分４を、各強い部分３間に位置させた構成となっている。
【００２５】
図２は、変形部２の胴壁５に凹凸６を付形し、この凹凸６の凹凸程度により強い部分３と弱い部分４とを成形し分ける実施例を示すもので、図２（ａ）は、凹凸６の凹凸程度が小さい弱い部分４の縦断壁構造を、図２（ｂ）は、凹凸６の凹凸程度が大きい強い部分３の縦断壁構造をそれぞれ示している。
【００２６】
この強い部分３と弱い部分４を、凹凸６の凹凸程度の差で成形し分ける場合、凹凸６の凹凸程度が連続して変化する波形の一部から、一端を弱い部分４とし他端を強い部分３とした一つの波パターンを得、この波パターンを、図３に示すように、所望する回数だけ連続させて反転反復させることにより、変形部２の周方向に沿った凹凸６のパターンを正確に得ることができる。
【００２７】
この場合、各強い部分３の耐外圧強度および各弱い部分４の耐外圧強度を簡単に等しくすることができると共に、弱い部分４を強い部分４間の中央に位置させることになり、これにより大きな減圧吸収能力を発揮できる構造で、変形部２の適正な成形を簡単に達成することができる。
【００２８】
なお、図３に示した手法において、凹凸６は連続した波形状に限定されることはなく、
大きさの異なる多数の独立した凹凸で構成しても良い。
【００２９】
図４は、変形部２の強い部分３と弱い部分４とを、変形部２の胴壁５の厚みの差で成形し分けた実施例の変形部２の平断面図を示すもので、この場合、変形部２の胴壁５の断面構造を、略平坦構造とすることができるので、平滑な外表面を有する変形部２を得ることができる。
【００３０】
図５は、強い部分３および弱い部分４を、高さ方向に沿って連続させて変形部２を構成した場合の、変形部２の減圧変形形態を示すもので、各強い部分３が柱状にやや突出すると共に、弱い部分４を含めた残りの部分全体がやや陥没気味に湾曲変形して、変形部２全体が直立した略正多角筒形状となり、減圧吸収変形状態での壜体の外観体裁を安定感のあるものとすることができる。
【００３１】
図６は、強い部分３および弱い部分４を、高さ方向に傾斜した姿勢で連続させて変形部２を構成した場合の、変形部２の減圧変形形態を示すもので、各強い部分３が螺旋状に傾斜した柱状にやや突出すると共に、弱い部分４を含めた残りの部分全体が浅い螺旋溝状に湾曲陥没変形して、変形部２全体が螺旋状に捩じれた略正多角筒形状となり、壜体に加わる圧下荷重を、変形部２全体の撓み変形により弾性的に支えて、強い耐圧下荷重強度を発揮し、減圧吸収変形した壜体の外観体裁が変化に富んだ面白みのあるものとなる。
【００３２】
図７は、変形部２の胴壁５を周方向に沿って六等分し、各等分点に強い部分３と弱い部分４とを交互に位置させた実施例の変形部２の平断面配置構成を示すもので、この変形部２は、減圧吸収変形すると、図８に示すように、強い部分３がやや突出して稜線部分を形成し、弱い部分４を含む強い部分３間の変形部分が、陥没状に湾曲して略平坦状に変形するので、正三角筒形状となる。
【００３３】
図９は、変形部２の胴壁５を周方向に沿って八等分し、各等分点に強い部分３と弱い部分４とを交互に位置させた実施例の変形部２の平断面配置構成を示すもので、この変形部２は、減圧吸収変形すると、図１０R>０に示すように、強い部分３が、やや突出して稜線部分を形成し、弱い部分４を含む強い部分３間の変形部分が、陥没状に湾曲して略平坦状に変形するので、正四角筒形状となる。
【００３４】
このように、減圧吸収変形した変形部２が形成する正多角筒形状の角数は、この角数と同じ数の強い部分３を形成することにより簡単に設定することができるのであるが、減圧吸収変形している変形部２に強大な自己形状保持能力を求める場合は、減圧吸収変形した変形部２が、機械構造的に最も強固で安定した強さを発揮する正三角筒形状となるように構成するのが良い。
【００３５】
【発明の効果】
本発明は、上記した構成となっているので、以下に示す効果を奏する。発生した減圧の吸収を、強い部分を稜線部分として残した、弱い部分を含んだ変形部分の陥没方向への湾曲変形による、変形部の円筒形状から正多角筒形状への全体的な変形により達成するので、大きな減圧吸収能力を発揮する。
【００３６】
変形部の円筒形状から正多角筒形状への変形は、稜線部分を形成する強い部分を、殆ど変形変位しない柱材として機能させた状態で、弱い部分を含んだ変形部分の陥没方向への湾曲変形により達成されるので、常に一定して安定したものとなり、確実で安定した減圧吸収動作を得ることができる。
【００３７】
変形部の減圧吸収変形は、円筒形から正多角筒形への、屈曲変形を伴わない撓み湾曲変形だけで達成されるので、変形後の変形部は、正多角筒形状とは云え、全体的には円やかで柔らか味を感じさせる外観となり、従来の減圧吸収機能付き壜体では得ることのできなかった、変化に富んで面白味のある新規な外観を得ることができる。
【００３８】
さらに、請求項１記載の発明によれば、金型の構造だけで変形部の強い部分と弱い部分とを成形し分けることができ、これにより壜体の成形が容易となると共に、成形された凹凸における透過光線の屈折のバラツキにより、清涼感に富んだ外観を得ることができる。
【００３９】
請求項２記載の発明によれば、金型に特別な構造を要しないので、金型の構造を簡単なものとすることができると共に、変形部の表面を平坦とすることができるので、変形部外表面に対する装飾とか表示のための印刷を、簡単にかつ適正に施すことができる。
【００４０】
請求項３記載の発明によれば、減圧吸収変形した変形部が、直立した正多角筒形状となるので、商品としての壜体の外観体裁に安定感を得ることができると共に、減圧吸収状態であっても、高い自己形状保持能力を発揮する。
【００４１】
請求項４記載の発明によれば、減圧吸収変形した変形部が、螺旋状に捩じれた直立正多角筒形状となるので、壜体に作用する圧下荷重を弾性的に支えて大きな座屈強度を発揮すると共に、変形部の外観体裁を面白味のあるそして変化に富んだものとすることができる。
【００４２】
請求項５記載の発明によれば、変形部の変形部分の陥没方向への湾曲変形が、必ず変形部分の中央箇所から引き起こされることになるので、変形部の変形形態が常に安定して一定すると共に、最も大きな変形量を得ることができ、もって円滑で効率の良い変形部の変形動作を得ることができ、また減圧吸収変形後の変形形態が安定したものとなるので、高い耐外圧強度を発揮することになる。
【００４３】
請求項６記載の発明によれば、減圧吸収変形した変形部が、機械構造的に最も安定した正三角筒形状となるので、充分な耐外圧強度と座屈強度とを、安定して発揮することになる。
【図面の簡単な説明】
【図１】本発明の一実施例を示す、減圧変形前の全体正面図。
【図２】本発明の変形部の強い部分と弱い部分の実施例を示す、部分縦断面図。
【図３】図２に示した実施例による、変形部設定手段の一例を示す展開図。
【図４】本発明の変形部の強い部分と弱い部分の他の実施例を示す、平断面図。
【図５】図１の減圧変形形態の一例を示す、全体正面図。
【図６】図１の減圧変形形態の他の一例を示す、全体正面図。
【図７】本発明の変形部の強い部分と弱い部分との配置例を示す、平断面図。
【図８】図７に示した変形部の減圧変形形態を示す、平断面図。
【図９】本発明の変形部の強い部分と弱い部分との他の配置例を示す、平断面図。
【図１０】図９に示した変形部の減圧変形形態を示す、平断面図。
【符号の説明】
１ ； 胴部
２ ； 変形部
３ ； 強い部分
４ ； 弱い部分
５ ； 胴壁
６ ； 凹凸
７ ； 中央周溝
８ ； リブ溝
９ ； 肩部
１０； 口部
【図１】
0003943207.tif 000002
【図２】
0003943207.tif 000003
【図３】
0003943207.tif 000004
【図４】
0003943207.tif 000005
【図５】
0003943207.tif 000006
【図６】
0003943207.tif 000007
【図７】
0003943207.tif 000008
【図８】
0003943207.tif 000009
【図９】
0003943207.tif 000010
【図１０】
0003943207.tif 000011